(57)【要約】【課題】カラー通信での差別化。【解決手段】カラー情報を通信可能な通信装置おいて、カラーのファクシミリ情報の送信時は、特定情報をカラー情報として追加して送信し、モノクロのファクシミリ情報の送信時は、特定情報を追加せずに送信する。また、カラーのファクシミリ情報の送信時には、特定情報Ａを追加して送信し、モノクロの送信時には、特定情報Ｂを追加して送信する。【選択図】　　　　図１
2004147146.tif 000002
【特許請求の範囲】
【請求項１】
カラー情報を通信可能な通信装置おいて、特定情報を追加して送信する手段、相手受信機のカラー受信機能の有無を検出する手段を有し、ファクシミリ送信が選択時、カラーの送信が選択され、かつ、相手受信機にカラーの受信機能がある時には、カラーのファクシミリ情報に特定情報をカラー情報として追加して送信し、一方、ファクシミリ送信が選択時、カラーの送信が選択されたが相手受信機にカラーの受信機能がない、あるいは、モノクロの送信が選択された時には、モノクロのファクシミリ情報を特定情報を追加せずに送信する事を特徴とする通信装置。
【請求項２】
請求項１において、複数の特定情報を追加して送信する手段、相手受信機のカラー受信機能の有無を検出する手段を有し、ファクシミリ送信が選択時、カラーの送信が選択され、かつ、相手受信機にカラーの受信機能がある時には、カラーのファクシミリ情報に特定情報Ａを追加して送信し、一方、ファクシミリ送信が選択時、カラーの送信が選択されたが相手受信機にカラーの受信機能がない、あるいは、モノクロの送信が選択された時には、モノクロのファクシミリ情報に特定情報Ｂを追加して送信する事を特徴とする通信装置。
【請求項３】
請求項２において、特定情報Ａと特定情報Ｂは、異なる情報である事を特徴とする通信装置。
【請求項４】
請求項１、２、３において、特定情報を送信するか否かを選択する手段を有する事を特徴とする通信装置。
【発明の詳細な説明】
【０００１】
【発明の属する技術分野】
本発明は、通信装置、特に、カラー情報を通信可能な通信装置に関するものである。
【０００２】
【従来の技術】
従来の通信装置、例えば、ファクシミリ装置は、モノクロ情報の通信が主体であった。このため、送信するファクシミリ原稿に追加する情報もモノクロであった。しかし、最近、ＩＴＵ−Ｔ勧告Ｔ．８１に基づいてカラーのファクシミリ通信を実行するファクシミリ装置が発表、発売されてきた。
【０００３】
【発明が解決しようとする課題】
しかしながら、カラー情報を通信できるファクシミリ装置は、現在、家庭用向けであり、しかも、製品単価は安く、付加的なサービスは、ほとんど無い現状である。このため、カラーでのファクシミリ送信にて、特定情報を送信する事はしていなかった。
【０００４】
【課題を解決するための手段】
第１の本発明によれば、カラー情報を通信可能な通信装置おいて、特定情報を追加して送信する手段、相手受信機のカラー受信機能の有無を検出する手段を有し、ファクシミリ送信が選択時、カラーの送信が選択され、かつ、相手受信機にカラーの受信機能がある時には、カラーのファクシミリ情報に特定情報をカラー情報として追加して送信し、一方、ファクシミリ送信が選択時、カラーの送信が選択されたが相手受信機にカラーの受信機能がない、あるいは、モノクロの送信が選択された時には、モノクロのファクシミリ情報を特定情報を追加せずに送信する事が可能になった。
【０００５】
これにより、カラーのファクシミリ送信時は、例えば、自分のカラー写真画像を追加して送信して、自分の近況を写真により、相手に伝え、モノクロのファクシミリ送信時は、自分の写真を送ってもモノクロのためにきれいに送信できないので、追加送信せずにモノクロのファクシミリ画信号の送信が可能になりとても使い易くなった。
【０００６】
第２の本発明によれば、第１の本発明において、複数の特定情報を追加して送信する手段、相手受信機のカラー受信機能の有無を検出する手段を有し、ファクシミリ送信が選択時、カラーの送信が選択され、かつ、相手受信機にカラーの受信機能がある時には、カラーのファクシミリ情報に特定情報Ａを追加して送信し、一方、ファクシミリ送信が選択時、カラーの送信が選択されたが相手受信機にカラーの受信機能がない、あるいは、モノクロの送信が選択された時には、モノクロのファクシミリ情報に特定情報Ｂを追加して送信する事が可能になった。第３の本発明によれば、第２の本発明において、特定情報Ａと特定情報Ｂは、異なる情報である事が可能になった。
【０００７】
これらにより、カラーのファクシミリ送信時は、例えば、自分のカラー写真画像を追加して送信して、自分の近況を写真により、相手に伝え、モノクロのファクシミリ送信時は、自分の近況を文字情報にて送信でき、カラー送信、モノクロ送信に適した特定情報の追加送信が可能になりとても使い易くなった。
【０００８】
第４の本発明によれば、第１、２、３の本発明において、特定情報を送信するか否かを選択する手段を有する事が可能になった。
【０００９】
これにより、ユーザは、例えば、友人に対して、ファクシミリ送信する時には、自分の近況情報を追加で送信し、一方、ビジネス、あるいは、子供の学校関連のファクシミリ連絡では、自分の近況情報を追加しないでファクシミリ送信を実行する等、使用目的に合わせて、使い分けが可能になりとても使い易くなった。
【００１０】
【発明の実施の形態】
（実施例１）
以下、図面に示す実施の形態に基づいて、本発明を詳細に説明する。
【００１１】
図１には、本発明の実施の形態であるファクシミリ装置がブロック図として図示されている。
【００１２】
２は、ＮＣＵ（網制御装置）で、電話網をデータ通信等西用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１３】
４は、電話機である。
【００１４】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１５】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００１６】
１０は、発呼回路であり、バス２６からの信号により、電話番号情報を入力し、信号線１０ａにＤＴＭＦの選択信号を出力する。
【００１７】
１２は、加算回路であり、信号線８ａの情報と信号線１０ａの情報を入力し、加算した結果を信号線１２ａに出力する。
【００１８】
１４は、カラー情報を読み取り可能な読取回路であり、読み取りデータをバス２６に出力する。
【００１９】
１６は、カラー情報を記録可能な記録回路であり、バス２６に出力されている情報を順次１ライン毎に記録する。
【００２０】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納するために使用する。
【００２１】
２０は、操作部であり、ワンタッチダイヤル、短縮ダイヤル、テンキー、＊キー、＃キー、スタートキー、ストップキー、セットキー、特定情報の追加通信選択キー、カラー通信選択キー、特定情報のメモリへの格納選択キー、メモリへの登録キー、その他のファンクションキーがあり、押下されたキー情報はバス２６に出力される。
【００２２】
操作部には、表示部があり、バス２６に出力されている情報を入力し、表示する。
【００２３】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２４】
２６は、バスである。
【００２５】
２４は、カラー情報を通信可能な通信装置おいて、特定情報を追加して送信する手段、相手受信機のカラー受信機能の有無を検出する手段を有し、ファクシミリ送信が選択時、カラーの送信が選択され、かつ、相手受信機にカラーの受信機能がある時には、カラーのファクシミリ情報に特定情報をカラー情報として追加して送信し、一方、ファクシミリ送信が選択時、カラーの送信が選択されたが相手受信機にカラーの受信機能がない、あるいは、モノクロの送信が選択された時には、モノクロのファクシミリ情報を特定情報を追加せずに送信する。ここで、特定情報を送信するか否かを選択する手段を有する。
【００２６】
以上の制御プログラムが格納されている。
【００２７】
図２には、カラーで送信する特定情報（実施例２では特定情報Ａになる）が図示されている。
【００２８】
図４、５、６には、図１の制御の流れ図が図示されている。
【００２９】
図４において、Ｓ０は、始めを表している。
【００３０】
Ｓ２は、バス２６を介して、メモリ１８をイニシャライズする事を表している。
【００３１】
Ｓ４は、バス２６を介して、操作部の表示部をクリアする事を表している。
【００３２】
Ｓ６では、バス２６を介してＮＣＵ２のＣＭＬをオフする。
【００３３】
Ｓ８では、バス２６を介して操作部の情報を入力して、ファクシミリ情報の送信が選択されたか否かが判断され、ＹＥＳであるとＳ１２に進み、ＮＯであるとＳ１０に進み、その他の処理をする。
【００３４】
Ｓ１２では、バス２６を介してＮＣＵ２のＣＭＬをオンする。
【００３５】
Ｓ１４は、バス２６を介して発呼回路を使用して、指定された宛先へ発呼する事を表している。
【００３６】
Ｓ１６は、前手順を表している。
【００３７】
Ｓ１８では、バス２６を介して操作部の情報を入力して、特定情報の追加送信が選択されたか否かが判断され、ＹＥＳであるとＳ２６に進み、ＮＯであるとＳ２０に進む。
【００３８】
Ｓ２０は、選択された通信モードと相手機の受信能力により通信モードを決定し、残りの前手順にて通知する事を表している。
【００３９】
Ｓ２２は、決定した通信モードでの画信号の送信を表している。ここで、特定情報の追加送信はしない。
【００４０】
Ｓ２４は、後手順を表している。
【００４１】
Ｓ２６では、バス２６を介して操作部の情報を入力して、カラー送信が選択されたか否かが判断され、ＹＥＳであると、Ｓ２８に進み、ＮＯであるとＳ２０に進む。
【００４２】
Ｓ２８では、相手受信機にカラー受信機能があるか否かが判断され、ＹＥＳであるとＳ３０に進み、ＮＯであるとＳ２０に進む。
【００４３】
Ｓ３０は残りの前手順を表している。ここで、カラーファクシミリ通信を指定する。
【００４４】
Ｓ３２は、カラーファクシミリ送信の実行を表している。ここで、１ページ目には、図２に示す特定情報をカラー情報として追加し送信する。
【００４５】
Ｓ３４は、後手順を表している。
【００４６】
Ｓ３６では、バス２６を介して操作部の情報を入力して、特定情報のメモリへの格納が選択されたか否かが判断され、ＹＥＳであると、Ｓ３８に進み、ＮＯであるとＳ６に進む。
【００４７】
Ｓ３８は、原稿情報をカラー情報として読み取り、ＪＰＥＧ符号化して、メモリに、例えば、図２に示す情報を格納する事を表している。
【００４８】
（実施例２）
第１の実施例において、複数の特定情報を追加して送信する手段、相手受信機のカラー受信機能の有無を検出する手段を有し、ファクシミリ送信が選択時、カラーの送信が選択され、かつ、相手受信機にカラーの受信機能がある時には、カラーのファクシミリ情報に特定情報Ａを追加して送信し、一方、ファクシミリ送信が選択時、カラーの送信が選択されたが相手受信機にカラーの受信機能がない、あるいは、モノクロの送信が選択された時には、モノクロのファクシミリ情報に特定情報Ｂを追加して送信する。ここで、特定情報Ａと特定情報Ｂは、異なる情報である。
【００４９】
図３には、モノクロで送信する特定情報Ｂが図示されている。
【００５０】
以上の制御の流れ図が、図７、８に図４、５、６の制御の流れ図に対して異なる部分の制御の流れ図が図示されている。
【００５１】
Ｓ４０は、Ｓ２６のＮＯを表している。
【００５２】
Ｓ４１は、Ｓ２８のＮＯを表している。
【００５３】
Ｓ４２は残りの前手順を表している。ここで、カラーファクシミリ通信を指定しない。
【００５４】
Ｓ４４は、モノクロファクシミリ送信の実行を表している。ここで、１ページ目には、図３に示す特定情報Ｂをモノクロ情報として追加し送信する。
【００５５】
Ｓ４６は、Ｓ３４を表している。
【００５６】
Ｓ４８は、Ｓ３６のＹＥＳを表している。
【００５７】
Ｓ５０では、バス２６を介して、操作部の情報を入力し、カラー送信時に追加する特定情報であるか否かが判断され、ＹＥＳであると、Ｓ５４に進み、ＮＯであるとＳ５２に進む。
【００５８】
Ｓ５２は、原稿情報をモノクロ情報として読み取り、ＭＭＲ符号化して、メモリに、例えば、図３に示す情報を特定情報Ｂとして記憶する事を表している。
【００５９】
Ｓ５４は、原稿情報をカラー情報として読み取り、ＪＰＥＧ符号化して、メモリに、例えば、図２に示す情報を特定情報Ａとして記憶する事を表している。
【００６０】
Ｓ５６は、Ｓ６を表している。
【００６１】
Ｓ５８は、Ｓ３０を表している。
【００６２】
Ｓ６０は、カラーファクシミリ送信の実行を表している。ここで、１ページ目には、図２に示す特定情報Ａをカラー情報として追加し送信する。
【００６３】
Ｓ６２はＳ３４を表している。
【００６４】
【発明の効果】
第１の本発明によれば、カラーのファクシミリ送信時は、例えば、自分のカラー写真画像を追加して送信して、自分の近況を写真により、相手に伝え、モノクロのファクシミリ送信時は、自分の写真を送ってもモノクロのためにきれいに送信できないので、追加送信せずにモノクロのファクシミリ画信号の送信が可能になりとても使い易くなった。
【００６５】
第２、３の本発明によれば、カラーのファクシミリ送信時は、例えば、自分のカラー写真画像を追加して送信して、自分の近況を写真により、相手に伝え、モノクロのファクシミリ送信時は、自分の近況を文字情報にて送信でき、カラー送信、モノクロ送信に適した特定情報の追加送信が可能になりとても使い易くなった。
【００６６】
第４の本発明によれば、ユーザは、例えば、友人に対して、ファクシミリ送信する時には、自分の近況情報を追加で送信し、一方、ビジネス、あるいは、子供の学校関連のファクシミリ連絡では、自分の近況情報を追加しないでファクシミリ送信を実行する等、使用目的に合わせて、使い分けが可能になりとても使い易くなった。
【図面の簡単な説明】
【図１】本発明によるファクシミリ装置の実施例のブロック図
【図２】カラーで送信する特定情報（Ａ）の具体例
【図３】モノクロで送信する特定情報の具体例
【図４】本発明による制御の流れ図
【図５】本発明による制御の流れ図
【図６】本発明による制御の流れ図
【図７】本発明による制御の流れ図
【図８】本発明による制御の流れ図
【符号の説明】
２　ＮＣＵ
４　電話機
６　ハイブリッド回路
８　変復調器
１０　発呼回路
１２　加算回路
１４　読み取り回路
１６　記録回路
１８　メモリ回路
２０　操作部
２２　ＣＰＵ
２４　ＲＯＭ
２６　バス
【図１】
2004147146.tif 000003
【図２】
2004147146.tif 000004
【図３】
2004147146.tif 000005
【図４】
2004147146.tif 000006
【図５】
2004147146.tif 000007
【図６】
2004147146.tif 000008
【図７】
2004147146.tif 000009
【図８】
2004147146.tif 000010